(57)【要約】【課題】  初心者や不慣れな人でも、容易に天体望遠鏡の組み立てや部品の取り付けを行うことができ、利便性を向上させることができる天体望遠鏡用部品を提供する。【解決手段】  天体望遠鏡に付属する部品として用いられる天体望遠鏡用部品であって、部品の名称、当該部品を用いた場合の像の見え方、調整方法、倍率、本体への取り付け方、本体の仕様、警告、といった部品に関する各種の情報の中から、当該部品を使用する際に重要となる情報を複数組み合わせて印刷したシールが貼付され、簡便に情報を提供することができる天体望遠鏡用部品としている。【選択図】  図１５
0003216079.tif 000002
【実用新案登録請求の範囲】
【請求項１】
天体望遠鏡のファインダーとして用いられる部品であって、
当該部品を用いた場合の像の見え方の説明と、調整方法の説明とが印刷されたシールが貼付されていることを特徴とする天体望遠鏡用部品。
【請求項２】
シールには、詳細な調整方法が掲載されたウェブサイトにアクセスする２次元バーコードが印刷されていることを特徴とする請求項１記載の天体望遠鏡用部品。
【請求項３】
天体望遠鏡のアイピースとして用いられる部品であって、
当該部品の種類と、倍率と、本体の焦点距離から倍率を求める計算式とが印刷されたシールが貼付されていることを特徴とする天体望遠鏡用部品。
【請求項４】
天体望遠鏡のバローレンズとして用いられる部品であって、
当該部品の名称と、本体への取り付け方の説明と、倍率とが印刷されたシールが貼付されていることを特徴とする天体望遠鏡用部品。
【請求項５】
天体望遠鏡の地上観測用レンズとして用いられる部品であって、
当該部品の名称と、本体への取り付け方の説明と、倍率と、当該部品を用いた場合の像の見え方の説明とが印刷されたシールが貼付されていることを特徴とする天体望遠鏡用部品。
【請求項６】
天体望遠鏡の天頂ミラー又は４５度正立プリズムとして用いられる部品であって、
当該部品の名称と、本体への取り付け方の説明と、当該部品を用いた場合の像の見え方の説明とが印刷されたシールが貼付されていることを特徴とする天体望遠鏡用部品。
【請求項７】
天体望遠鏡用のドローチューブとして用いられる部品であって、
前記天体望遠鏡の品番と、焦点距離と、対物レンズ有効径と、倍率と、使用上の警告とが印刷されたシールが貼付されていることを特徴とする天体望遠鏡用部品。
【請求項８】
天体望遠鏡用のフィルターとして用いられる部品であって、
当該部品の名称と、使用方法及び取り付け方の説明とが印刷された印刷されたシールが貼付されていることを特徴とする天体望遠鏡用部品。
【請求項９】
天体望遠鏡用の赤道儀として用いられる部品であって、
当該部品の名称と、三脚への取り付け方の説明と、組み立て方の説明が掲載されたウェブサイトにアクセスする２次元バーコードとが印刷されたシールが貼付されていることを特徴とする天体望遠鏡用部品。
【考案の詳細な説明】
【技術分野】
【０００１】
本考案は、天体望遠鏡用部品に係り、特に、部品の取り付け方や像の見え方、倍率等が分かりやすく示され、組み立てや部品の取り付けを容易に行うことができ、利便性を向上させることができる天体望遠鏡用部品に関する。
【背景技術】
【０００２】
［先行技術の説明］
従来、一般の家庭でも気軽に天体の観察や観測を行える天体望遠鏡がある。
天体望遠鏡は、対物レンズを備えた鏡筒の種類によって大きく屈折式と反射式とに分けられる。
屈折式は、対物レンズで集めた光を直接接眼レンズで拡大する形式で、構造がシンプルで扱いが容易である。また、反射式は、反射鏡を利用し、光軸上に置いた平面鏡で光を９０度曲げて作った像を、接眼レンズで拡大するものである。
【０００３】
天体望遠鏡は、対物レンズと接眼レンズの組み合わせによって倍率が決まり、ユーザは、目的に合わせて適切な倍率を得るために、接眼レンズを差し替えて観察を行う。接眼レンズを備えた部品をアイピースと呼ぶ。
また、アイピースに加えて、所望の天体を望遠鏡の視野内に捕捉する際に用いる低倍率のファインダーや、天体望遠鏡の焦点距離を長くして倍率を上げるバローレンズ、地上観測を行うためのレンズ、天頂付近を容易に観察するためのプリズム等の多くの部品が付属していることがある。
【０００４】
そのため、初心者や不慣れなユーザにとっては、どの部品をどこに取り付けるのか、その部品を付けるとどのような像が見えるのか、倍率はどうなるのか、といった部品に関する情報を十分理解するのは困難であり、取扱説明書を参照したとしても、組み立てや部品の取り付けに手間取ってしまう場合があった。
更に、天体望遠鏡は、使い方を誤って太陽を見てしまうと、最悪の場合失明してしまう恐れがある。
【０００５】
［関連技術］
尚、関連する先行技術としては、特開２０１３−０８８５７１号公報「撮像装置、撮像システムおよび撮像装置の制御方法」（特許文献１）、実用新案登録第３１６０８４８号公報「ラベル付き容器」（特許文献２）がある。
【０００６】
特許文献１には、天体望遠鏡に撮像装置を取り付ける場合に、撮像装置の取り付け方法が表示部に表示されることが記載されている。
特許文献２には、容器（望遠鏡を含む）に覗き穴を覆うシールを貼ることが記載されている。
【先行技術文献】
【特許文献】
【０００７】
【特許文献１】特開２０１３−０８８５７１号公報
【特許文献２】実用新案登録第３１６０８４８号公報
【考案の概要】
【考案が解決しようとする課題】
【０００８】
上述したように、天体望遠鏡には付属する多くの部品があり、従来、初心者や不慣れな人にとっては、各部品の取り付け方やその部品を付けた場合の像の見え方等の情報を正確に理解することは困難であり、組み立てや部品の取り付けに手間取ってしまうという問題点があった。
【０００９】
尚、特許文献１及び２には、天体望遠鏡に付属する部品に、名称や取り付け方、像の見え方を記載したシールが貼られていることについての記載はない。
【００１０】
本考案は上記実状に鑑みて為されたもので、天体望遠鏡に付属する部品に、取り付け方や像の見え方等の情報を印刷したシールを貼付して、初心者や不慣れな人でも容易に組み立てや部品の取り付けを行うことができ、利便性を向上させることができる天体望遠鏡用部品を提供することを目的とする。
【課題を解決するための手段】
【００１１】
上記従来例の問題点を解決するための本考案は、天体望遠鏡のファインダーとして用いられる部品であって、当該部品を用いた場合の像の見え方の説明と、調整方法の説明とが印刷されたシールが貼付されていることを特徴としている。
【００１２】
また、本考案は、上記天体望遠鏡用部品において、シールには、詳細な調整方法が掲載されたウェブサイトにアクセスする２次元バーコードが印刷されていることを特徴としている。
【００１３】
また、本考案は、天体望遠鏡のアイピースとして用いられる部品であって、当該部品の種類と、倍率と、本体の焦点距離から倍率を求める計算式とが印刷されたシールが貼付されていることを特徴としている。
【００１４】
また、本考案は、天体望遠鏡のバローレンズとして用いられる部品であって、当該部品の名称と、本体への取り付け方の説明と、倍率とが印刷されたシールが貼付されていることを特徴としている。
【００１５】
また、本考案は、天体望遠鏡の地上観測用レンズとして用いられる部品であって、当該部品の名称と、本体への取り付け方の説明と、倍率と、当該部品を用いた場合の像の見え方の説明とが印刷されたシールが貼付されていることを特徴としている。
【００１６】
また、本考案は、天体望遠鏡の天頂ミラー又は４５度正立プリズムとして用いられる部品であって、当該部品の名称と、本体への取り付け方の説明と、当該部品を用いた場合の像の見え方の説明とが印刷されたシールが貼付されていることを特徴としている。
【００１７】
また、本考案は、天体望遠鏡用のドローチューブとして用いられる部品であって、当該天体望遠鏡の品番と、焦点距離と、対物レンズ有効径と、倍率と、使用上の警告とが印刷されたシールが貼付されていることを特徴としている。
【００１８】
また、本考案は、天体望遠鏡用のフィルターとして用いられる部品であって、当該部品の名称と、使用方法及び取り付け方の説明とが印刷された印刷されたシールが貼付されていることを特徴としている。
【００１９】
また、本考案は、天体望遠鏡用の赤道儀として用いられる部品であって、当該部品の名称と、三脚への取り付け方の説明と、組み立て方の説明が掲載されたウェブサイトにアクセスする２次元バーコードとが印刷されたシールが貼付されていることを特徴とする天体望遠鏡用部品。
【考案の効果】
【００２０】
本考案によれば、天体望遠鏡のファインダーとして用いられる部品であって、当該部品を用いた場合の像の見え方の説明と、調整方法の説明とが印刷されたシールが貼付されている天体望遠鏡用部品としているので、ファインダーの特性や調整方法を簡単に知ることができ、望遠鏡の組み立て作業やファインダーの調整作業を容易にし、利便性を向上させることができる効果がある。
【００２１】
また、本考案によれば、シールには、詳細な調整方法が掲載されたウェブサイトにアクセスする２次元バーコードが印刷されている上記天体望遠鏡用部品としているので、取扱説明書から該当ページを探して参照する場合に比べて簡便に調整方法を知ることができ、一層利便性を向上させることができる効果がある。
【００２２】
また、本考案によれば、天体望遠鏡のアイピースとして用いられる部品であって、当該部品の種類と、倍率と、本体の焦点距離から倍率を求める計算式とが印刷されたシールが貼付されている天体望遠鏡用部品としているので、各アイピースの特性を容易に識別して、目的に応じて適切にアイピースを選択することができ、利便性を向上させることができる効果がある。
【００２３】
また、本考案によれば、天体望遠鏡のバローレンズとして用いられる部品であって、当該部品の名称と、本体への取り付け方の説明と、倍率とが印刷されたシールが貼付されている天体望遠鏡用部品としているので、似たような形状の他の部品と容易に区別することができ、レンズの特性や取り付け方法をわかりやすく示して、利便性を向上させることができる効果がある。
【００２４】
また、本考案によれば、天体望遠鏡の地上観測用レンズとして用いられる部品であって、当該部品の名称と、本体への取り付け方の説明と、倍率と、当該部品を用いた場合の像の見え方の説明とが印刷されたシールが貼付されている天体望遠鏡用部品としているので、似たような形状の他の部品と容易に区別することができ、レンズの特性や取り付け方法をわかりやすく示して、利便性を向上させることができる効果がある。
【００２５】
また、本考案によれば、天体望遠鏡の天頂ミラー又は４５度正立プリズムとして用いられる部品であって、当該部品の名称と、本体への取り付け方の説明と、当該部品を用いた場合の像の見え方の説明とが印刷されたシールが貼付されている天体望遠鏡用部品としているので、似たような形状の他の部品と容易に区別することができ、特性や取り付け方法をわかりやすく示して、利便性を向上させることができる効果がある。
【００２６】
また、本考案は、天体望遠鏡用のドローチューブとして用いられる部品であって、当該天体望遠鏡の品番と、焦点距離と、対物レンズ有効径と、倍率と、使用上の警告とが印刷されたシールが貼付されている天体望遠鏡用部品としているので、ユーザは、天体望遠鏡の基本的な仕様を容易に知ることができ、また、誤った使い方によって失明等の重篤な結果となることが無いよう、ユーザに注意を促すことができる効果がある。
【００２７】
また、本考案によれば、天体望遠鏡用のフィルターとして用いられる部品であって、当該部品の名称と、使用方法及び取り付け方の説明とが印刷された印刷されたシールが貼付されている天体望遠鏡用部品としているので、ユーザは、部品の使用方法や取り付け方を容易に理解することができ、利便性を向上させることができる効果がある。
【００２８】
また、本考案によれば、天体望遠鏡用の赤道儀として用いられる部品であって、当該部品の名称と、三脚への取り付け方の説明と、組み立て方の説明が掲載されたウェブサイトにアクセスする２次元バーコードとが印刷されたシールが貼付されている天体望遠鏡用部品としているので、ユーザは、部品の取り付け方や組み立て方法を容易に知ることができ、利便性を向上させることができる効果がある。
【図面の簡単な説明】
【００２９】
【図１】ファインダーとして用いられる本部品（本ファインダー）の概略斜視図である。
【図２】ファインダーシールの概略図である。
【図３】第１のアイピースとして用いられる本部品（本アイピース）の正面図である。
【図４】第１のアイピースシールの概略図である。
【図５】第２のアイピースの正面図である。
【図６】第２のアイピースシールの概略図である。
【図７】第３のアイピースの正面図である。
【図８】第３のアイピースシールの概略図である。
【図９】第４のアイピースの正面図である。
【図１０】第４のアイピースシールの概略図である。
【図１１】第５のアイピースの正面図である。
【図１２】第５のアイピースシールの概略図である。
【図１３】第６のアイピースの正面図である。
【図１４】第６のアイピースシールの概略図である。
【図１５】第１の２倍バローレンズの正面図である。
【図１６】第１の２倍バローレンズシールの概略図である。
【図１７】第２の２倍バローレンズの正面図である。
【図１８】第２の２倍バローレンズシールの概略図である。
【図１９】地上観測用１．５倍レンズ（本地上観測用レンズ）の正面図である。
【図２０】地上観測用１．５倍レンズシールの概略図である。
【図２１】天頂ミラーとして用いられる本部品（本天頂ミラー）の概略斜視図である。
【図２２】天頂ミラーシールの概略図である。
【図２３】４５度正立プリズムとして用いられる本部品（本４５度正立プリズム）の概略斜視図である。
【図２４】４５度正立プリズムシールの概略図である。
【図２５】第１のドローチューブとして用いられる本部品（本ドローチューブ）の概略斜視図である。
【図２６】第１のドローチューブシールの概略図である。
【図２７】第２のドローチューブの概略斜視図である。
【図２８】第２のドローチューブシールの概略図である。
【図２９】第３のドローチューブの概略斜視図である。
【図３０】第３のドローチューブシールの概略図である。
【図３１】第４のドローチューブの概略斜視図である。
【図３２】第４のドローチューブシールの概略図である。
【図３３】ムーンフィルターとして用いられる本部品（本ムーンフィルター）の正面図である。
【図３４】ムーンフィルターシールの概略図である。
【図３５】赤道儀として用いられる本部品の一部を示す部分概略斜視図である。
【図３６】赤道儀シールの概略図である。
【考案を実施するための形態】
【００３０】
本考案の実施の形態について図面を参照しながら説明する。
［実施の形態の概要］
本考案の実施の形態に係る天体望遠鏡用部品（本部品）は、部品の名称、当該部品を用いた場合の像の見え方、調整方法、倍率、取り付け方、といった部品に関する各種の情報の中から、当該部品を使用する際に重要となる情報を複数組み合わせて印刷したシールが貼付されているものであり、ユーザは、部品に関する十分な知識がなくても、シールに記載された情報を参照して、組み立てや取り付けを容易に行うことができ、利便性を向上させることができるものである。
【００３１】
本部品について、具体的に説明する。
［ファインダー：図１］
図１は、ファインダーとして用いられる本部品（本ファインダー）の概略斜視図である。
本ファインダー１０は、天体望遠鏡本体の横に設けられる低倍率の望遠鏡であり、目的とする天体を天体望遠鏡の視野内に導入するために用いられる。
ファインダーの種類としては、上下左右が逆になった（１８０度回転した）倒立像が見える倒立ファインダーと、正立像が見える正立ファインダーとがあり、本ファインダー１０は倒立ファインダーである。
【００３２】
また、ファインダーの取り付け時には、ファインダーの光軸と天体望遠鏡の鏡筒とが平行になるように取り付ける必要がある。
そして、図１に示すように、本ファインダー１０には、像の見え方の説明と、調整方法の説明（注意事項）とを記載したファインダーシール１１が貼付されている。
【００３３】
［ファインダーシール：図２］
ファインダーシールについて図２を用いて説明する。図２は、ファインダーシールの概略図である。
図２に示すように、ファインダーシール１１は、銀色の地に黒色で印刷が施されたシールであり、シールの左側半面に、「見え方」（見え方の説明）として、「倒立像」の文字と倒立の「あ」の画像（イラスト、図柄）が記載され、調整方法として、「日中の明るいうちに望遠鏡とファインダーの中心を合わせる必要があります」との注意点（注意事項）が記載されている。
【００３４】
特に、倒立像の説明を、文字だけでなく、簡単なイラストを用いて示すことにより、不慣れなユーザでも、感覚的に像の見え方を理解することができるものである。
正立ファインダーの場合には、ファインダーシール１１の「見え方」は「正立像」の文字と、正立の「あ」の画像が記載される。
【００３５】
更に、調整方法の詳細な説明が必要なユーザのために、シールの右側半面に、具体的な調整方法が掲載されているウェブサイトにアクセスする２次元バーコードが印刷されている。図２では、２次元バーコードを一部加工している。ユーザは、携帯端末等で当該２次元バーコードを読み込んでアクセスすることにより、本ファインダー１０の詳細な調整方法をその場で知ることができるものである。
また、ファインダーシール１１は、図２の上側を天、図２の下側を地とした場合に、接眼部から見て、地が手前側、天が奥側となるよう貼付されている。
【００３６】
［本ファインダーの効果］
本ファインダー１０によれば、像の見え方の説明と、調整方法の説明、更に詳細な調整方法が掲載されたウェブサイトにアクセスするための２次元バーコードが記載されたファインダーシール１１が貼付されているので、不慣れなユーザであってもファインダーの特性や調整方法を簡単に知ることができ、望遠鏡の組み立て作業やファインダーの調整作業を容易にし、利便性を向上させることができる効果がある。
【００３７】
また、部品に張り付けられた２次元バーコードを読み込むだけで本ファインダー１０の詳細な調整方法を閲覧できるので、取扱説明書から該当ページを探して参照する場合に比べて容易に調整方法を知ることができ、一層利便性を向上させることができる効果がある。
【００３８】
［第１のアイピース：図３］
次に、第１のアイピースとして用いられる本部品について図３を用いて説明する。図３は、第１のアイピースとして用いられる本部品（本アイピース）の正面図である。
アイピースは、天体望遠鏡の接眼レンズを備えた部品であり、使用されるレンズの枚数や構造によって多くの種類がある。
また、望遠鏡の倍率は対物レンズの焦点距離／接眼レンズの焦点距離によって決定されるため、アイピースに使用されている接眼レンズの焦点距離は重要な情報である。
図３に示すように、本アイピース２０の正面には、接眼レンズの種類と、焦点距離と、望遠鏡本体の焦点距離から倍率を求める計算式とが印刷された第１のアイピースシール２１が貼付されている。
【００３９】
［第１のアイピースシール２１：図４］
第１のアイピースシール２１について図４を用いて説明する。図４は、第１のアイピースシールの概略図である。
図４に示すように、第１のアイピースシール２１には、接眼レンズの種類の記述２１１として「Ｈ」の記号が記載され、焦点距離の記述２１２として「１２．５ｍｍ」が記載されている。「Ｈ」は、２枚のレンズを用いた接眼レンズの一種（ハイゲンス）を示す。
更に、その下に、望遠鏡の倍率を計算するための計算式の記述２１３として、「倍率＝焦点距離÷１２．５」の式が記載されている。尚、ここで「焦点距離」は望遠鏡本体の対物レンズの焦点距離を示している。
【００４０】
これにより、ユーザは、当該アイピースの種類、焦点距離、望遠鏡に取り付けた時の倍率を容易に把握することができ、アイピースを選ぶ際の利便性を向上させることができる。
【００４１】
［他のアイピース及びアイピースシール：図５〜図１４］
本部品の他のアイピース及びそれらに貼付されるアイピースシールについて図５〜図１４を用いて簡単に説明する。
図５は、第２のアイピースの正面図であり、図６は第２のアイピースシールの概略図である。
図５に示すように、第２のアイピース２２には、第２のアイピースシール２３が貼付されている。
図６に示すように、第２のアイピースシール２３には、接眼レンズの種類の記述２３１として「ＳＲ」の記号が記載され、焦点距離の記述２３２として「６ｍｍ」が記載され、倍率を計算するための計算式の記述２３３として「倍率＝焦点距離÷６」が記載されている。「ＳＲ」は、２枚のレンズを用いた接眼レンズの一種（スペシャル・ラムスデン）を示す。
【００４２】
図７は、第３のアイピースの正面図であり、図８は第３のアイピースシールの概略図である。
図７に示すように、第３のアイピース２４には、第３のアイピースシール２５が貼付されている。
また、図８に示すように、第３のアイピースシール２５には、接眼レンズの種類の記述２５１として「Ｋ」の記号が記載され、焦点距離の記述２５２として「２０ｍｍ」が記載され、計算式の記述２５３として「倍率＝焦点距離÷２０」が記載されている。「Ｋ」は、３枚のレンズを用いた接眼レンズの一種（ケルナー）を示す。
【００４３】
図９は、第４のアイピースの正面図であり、図１０は第４のアイピースシールの概略図である。
図９に示すように、第４のアイピース２６には、第４のアイピースシール２７が貼付されており、図１０に示すように、第４のアイピースシール２７には、接眼レンズの種類の記述２７１として「Ｈ」の記号が記載され、焦点距離の記述２７２として「４ｍｍ」が記載され、計算式の記述２７３として「倍率＝焦点距離÷４」が記載されている。
【００４４】
図１１は、第５のアイピースの正面図であり、図１２は第５のアイピースシールの概略図である。
図１１に示すように、第５のアイピース２８には、第５のアイピースシール２９が貼付されており、図１２に示すように、第５のアイピースシール２９には、接眼レンズの種類の記述２９１として「Ｋ」の記号が記載され、焦点距離の記述２９２として「２５ｍｍ」が記載され、計算式の記述２９３として「倍率＝焦点距離÷２５」が記載されている。
【００４５】
図１３は、第６のアイピースの正面図であり、図１４は第６のアイピースシールの概略図である。
図１３に示すように、第６のアイピース３０には、第６のアイピースシール３１が貼付されており、図１４に示すように、第６のアイピースシール３１には、接眼レンズの種類の記述３１１として「Ｋ」の記号が記載され、焦点距離の記述３１２として「１０ｍｍ」が記載され、計算式の記述３１３として「倍率＝焦点距離÷１０」が記載されている。
【００４６】
［アイピースとして用いられる本部品の効果］
本部品の第１のアイピース２０〜第６のアイピース３０によれば、接眼レンズの種類と、焦点距離と、望遠鏡本体の焦点距離から倍率を求めるための計算式とが印刷された第１のアイピースシール２１〜第６のアイピースシール３１がそれぞれ貼付されているので、ユーザは、各アイピースの特性を容易に識別して、目的に応じて適切にアイピースを選択でき、利便性を向上させることができる効果がある。
【００４７】
［第１の２倍バローレンズ：図１５］
次に、２倍バローレンズとして用いられる本部品について図１５を用いて説明する。図１５は、第１の２倍バローレンズの正面図である。
バローレンズは、望遠鏡本体の焦点距離を長くして、倍率を上げるオプションレンズであり、２倍バローレンズは、使用するアイピースの倍率の２倍の倍率が得られるものである。
図１５に示すように、第１の２倍バローレンズ４０は、アイピースとの接続部が上、本体側との接続部が下、固定ネジ４２が右側に配置されるように置いた状態で、正面に第１の２倍バローレンズシール４１が貼付されている。
【００４８】
［第１の２倍バローレンズシール：図１６］
図１６は、第１の２倍バローレンズシールの概略図である。
図１６に示すように、第１の２倍バローレンズシール４１は、部品の名称の記述４１１として「２倍バローレンズ」が記載され、取り付け方の説明４１２が図示され、倍率の記述４１３として「使用するアイピースの倍率×２」が記載されている。
【００４９】
２倍バローレンズは、オプションの部品であり、似たような形状の他の部品（例えば、地上観測用レンズ）と明確に区別できるよう、部品の名称の記述４１１を記載している。
取り付け方の説明４１２では、簡単なイラストによって反射型望遠鏡のドローチューブ（アイピースを装着するための接続部）に第１の２倍バローレンズ４０を取り付け、更にその先にアイピースを取り付けることが示されている。
【００５０】
［第２の２倍バローレンズ：図１７］
別の２倍バローレンズとして用いられる本部品について図１７を用いて説明する。図１７は、第２の２倍バローレンズの正面図である。
図１７に示すように、第２の２倍バローレンズ４３は、アイピースとの接続部が上、本体側との接続部が下、固定ネジ４５が右側に位置するように置いた状態で、正面に、名称、取り付け方、倍率が記載された第２の２倍バローレンズシール４４が貼付されている。
【００５１】
［第２の２倍バローレンズシール：図１８］
図１８は、第２の２倍バローレンズシールの概略図である。
図１８に示すように、第２の２倍バローレンズシール４４は、部品の名称の記述４４１として「２倍バローレンズ」が記載され、取り付け方の説明４４２が図示され、倍率の記述４４３として「使用するアイピースの倍率×２」が記載されている。
取り付け方の説明４４２では、屈折型望遠鏡のドローチューブに天頂プリズムを取り付け、天頂プリズムに２倍バローレンズ（２）４３を取り付け、更にアイピースを取り付けることが示されている。
【００５２】
［バローレンズとして用いられる本部品の効果］
２倍バローレンズ４０及び２倍バローレンズ４３によれば、部品の名称と、取り付け方と、倍率とが記載された２倍バローレンズシール４１、２倍バローレンズシール４４がそれぞれ貼付されているので、似たような形状の他の部品と容易に区別でき、レンズの特性や取り付け方法をわかりやすく示して、利便性を向上させることができる効果がある。
【００５３】
特に、取り付け方を、文字ではなく簡単なイラストで図示することにより、一層わかりやすくすることができる効果がある。
【００５４】
［地上観測用１．５倍レンズ：図１９］
次に、地上観測用１．５倍レンズとして用いられる本部品について、図１９を用いて説明する。図１９は、地上観測用１．５倍レンズ（本地上観測用レンズ）の正面図である。
地上観測用レンズは、天体望遠鏡を利用して地上を観測するオプションのレンズであり、正立像を得るものである。
図１９に示すように、地上観測用レンズ５０は、アイピースとの接続部が上、本体側のドローチューブとの接続部が下、固定ネジ５２が右側に配置されるように置いた場合の正面に、地上観測用１．５倍レンズシール５１が貼付されている。
【００５５】
［地上観測用１．５倍レンズシール：図２０］
図２０は、地上観測用１．５倍レンズシールの概略図である。
図２０に示すように、地上観測用１．５倍レンズシール５１は、部品の名称の記述５１１として「地上観測用１．５倍レンズ」が記載され、取り付け方の説明５１２が図示され、像の見え方の説明５１３として「正立像」の文字と、正立の「あ」の画像が記載され、倍率の記述５１４として「使用するアイピースの倍率×１．５」が記載されている。
地上観測用レンズは、オプションの部品であるため、似たような形状の他の部品と明確に区別できるよう、部品の名称の記述５１１を記載しているものである。
【００５６】
［本地上観測用１．５倍レンズの効果］
本地上観測用１．５倍レンズ５０によれば、部品の名称と、取り付け方と、見え方と、倍率とが記載された地上観測用１．５倍レンズシール５１が貼付されているので、似たような形状の他の部品と容易に区別することができ、レンズの特性や取り付け方法をわかりやすく示して、利便性を向上させることができる効果がある。
【００５７】
［天頂ミラー：図２１］
次に、天頂ミラーとして用いられる本部品について図２１を用いて説明する。図２１は、天頂ミラーとして用いられる本部品（本天頂ミラー）の概略斜視図である。
天頂ミラーは、天頂付近の天体を観測しやすくするために、光を９０度曲げる反射鏡を備えた部品である。
図２１に示すように、天頂ミラー６０は、アイピースに接続する部分が上、本体に接続する部分が奥、固定ネジ６３が右側に配置されるように置いた状態で、正面に天頂ミラーシール６１が貼付されている。
【００５８】
［天頂ミラーシール：図２２］
図２２は、天頂ミラーシールの概略図である。
図２２に示すように、天頂ミラーシール６１は、部品の名称の記述６１１として「天頂ミラー」が記載され、取り付け方の説明６１２が図示され、見え方の説明６１３として「左右反転」の文字に加えて、左右反転した「あ」の画像が記載されている。
【００５９】
取り付け方の説明６１２では、屈折型望遠鏡のドローチューブに天頂ミラー６０を取り付け、その先にアイピースを取り付けることが示されている。
また、天頂ミラーはオプションの部品であり、似たような形状の他の部品（例えば、４５度正立プリズム）と明確に区別できるよう、部品の名称の記述６１１を記載しているものである。
【００６０】
［本天頂ミラーの効果］
天頂ミラー６０によれば、部品の名称と、取り付け方と、像の見え方が印刷された天頂ミラーシール６１が貼付されているので、似たような形状の他の部品と容易に区別することができ、特性や取り付け方法をわかりやすく示して、利便性を向上させることができる効果がある。
【００６１】
［４５度正立プリズム（４５°正立プリズム）：図２３］
次に、４５度正立プリズムとして用いられる本部品について図２３を用いて説明する。図２３は、４５度正立プリズムとして用いられる本部品（本４５度正立プリズム）の概略斜視図である。
４５度正立プリズムは、天頂付近の天体を観測しやすくするために光を４５度曲げるものであり、正立像が見える部品である。
図２３に示すように、４５度正立プリズム６２は、望遠鏡本体に接続する部分が上になるように置いた状態で、アイピースへの接続部の正面に４５度正立プリズムシール６３が貼付されている。
【００６２】
［４５度正立プリズムシール：図２４］
図２４は、４５度正立プリズムシールの概略図である。
図２４に示すように、４５度正立プリズムシール６３は、部品の名称の記述６３１として「４５°正立プリズム」が記載され、取り付け方の説明６３２が図示され、見え方の説明６３３として「正立像」の文字に加えて、正立の「あ」の画像が記載されている。
【００６３】
取り付け方の説明６３２では、屈折型望遠鏡のドローチューブに４５度正立プリズム６２を取り付け、その先にアイピースを取り付けることが示されている。
また、４５度正立プリズムはオプションの部品であり、似たような形状の他の部品（例えば、天頂ミラー）と明確に区別できるよう、部品の名称の記述６３１を印刷している。
【００６４】
［本４５度正立プリズムの効果］
４５度正立プリズム６２によれば、部品の名称と、取り付け方と、像の見え方が記載された４５度正立プリズムシール６３が貼付されているので、似たような形状の他の部品と容易に区別することができ、特性や取り付け方法をわかりやすく示して、利便性を向上させることができる効果がある。
【００６５】
[第１のドローチューブ：図２５]
次に、第１のドローチューブとして用いられる本部品について図２５を用いて説明する。図２５は、第１のドローチューブとして用いられる本部品（本ドローチューブ）の概略斜視図である。
ドローチューブは、天体望遠鏡の本体と、アイピースや、バローレンズ、地上観測用レンズ、プリズム等を接続するための接続部となる部品である。
図２５に示すように、ドローチューブ７０は、ユーザが天体望遠鏡を使用する際に目立つ位置に、天体望遠鏡の仕様や、警告が記載された第１のドローチューブシール７１が貼付されている。
【００６６】
［第１のドローチューブシール：図２６］
図２６は、第１のドローチューブシールの概略図である。
図２６に示すように、第１のドローチューブシール７１には、天体望遠鏡の仕様の記載７１１として、品番、焦点距離、対物レンズ有効径、倍率が記載されている。
倍率は、例えば、天体望遠鏡に付属して販売されるアイピースを用いた場合の倍率が記載され、図２６の例では、「ＳＲ６ｍｍ＝１００倍」「Ｈ１２．５ｍｍ＝４８倍」と記載されている。
【００６７】
また、警告の記述７１２として、太陽を絶対に見ないようにとの警告文と、そのことを示すイラストが描かれている。
太陽を望遠鏡で見てしまうと失明の恐れもあるため、ユーザに十分な注意を促すものである。
警告をイラストで示すことにより、日本語に不慣れな外国人でも警告内容を理解できるようにしている。また、実際の天体望遠鏡の型に合わせて、第１のドローチューブシール７１では、屈折式望遠鏡のイラストが描かれている。
【００６８】
［他のドローチューブ及びドローチューブシール：図２７〜図３２］
本部品の他のドローチューブ及びそれらに貼付されるドローチューブシールについて図２７〜図３２を用いて簡単に説明する。
図２７は、第２のドローチューブの概略斜視図、図２８は、第２のドローチューブシールの概略図、図２９は、第３のドローチューブの概略斜視図、図３０は、第３のドローチューブシールの概略図、図３１は、第４のドローチューブの概略斜視図、図３２は、第４のドローチューブシールの概略図である。
【００６９】
図２７，２９，３１に示すように、第２のドローチューブ７２、第３のドローチューブ７４、第４のドローチューブ７６は、それぞれ目立つ位置にドローチューブシール７３，７５，７７が貼付されている。
【００７０】
図２８，３０，３２に示すように、ドローチューブシール７３，７５，７７には、ドローチューブシール７１と同様に、各天体望遠鏡の仕様と、太陽を見ないようにとの警告とが記載されている。
警告のイラスト表示では、ドローチューブシール７３，７７が反射式望遠鏡、ドローチューブシール７５が屈折式望遠鏡の形状を示している。
【００７１】
［ドローチューブとして用いられる本部品の効果］
本部品のドローチューブ７０〜ドローチューブ７７によれば、天体望遠鏡の仕様と、太陽を見ないようにという警告とが記載されたドローチューブシール７１〜ドローチューブシール７７がそれぞれ貼付されているので、天体望遠鏡の基本的な仕様を容易に知ることができ、また、誤った使い方によって失明等の重篤な結果を招くことが無いよう、ユーザに注意を促すことができる効果がある。
【００７２】
［ムーンフィルター：図３３］
次に、ムーンフィルターとして用いられる本部品について図３３を用いて説明する。図３３は、ムーンフィルターとして用いられる本部品（本ムーンフィルター）の正面図である。
月は、他の天体と比較して大変明るく、長時間観察すると目を傷める恐れがある。ムーンフィルターは、月の光量を抑えるためにアイピースに取り付けるオプションの部品である。
図３３に示すように、ムーンフィルター８０には、中央のフィルター部の周囲の枠上に、ドーナツ形状のムーンフィルターシール８１が貼付されている。
【００７３】
［ムーンフィルターシール：図３４］
図３４は、ムーンフィルターシール８１の概略図である。
図３４に示すように、ムーンフィルターシール８１には、部品の名称の記述８１１として「ムーンフィルター」が記載され、使用方法の説明８１２として、「月が眩しいときにアイピースの底面に取り付けて使用します」が記載され、取り付け方の説明８１３として、簡単なイラストでアイピースの底面（接眼部とは反対側の面）に取り付けることが記載されている。
【００７４】
特に、ムーンフィルターシール８１では、文字情報とイラストとを用いて使用方法及び取り付け方の説明を記載しているため、不慣れなユーザでも、どんな時に使用するのか、またアイピースのどちら側の面に取り付ければよいのか、容易に理解することができるものである。
【００７５】
［本ムーンフィルターの効果］
ムーンフィルター８０によれば、部品の名称と、使用方法と、取り付け方とが記載されたムーンフィルターシール８１が貼付されているので、ユーザは、取扱説明書で調べなくても、使用方法や取り付け方を理解することができ、利便性を向上させることができる効果がある。
【００７６】
［赤道儀］
次に、赤道儀として用いられる本部品について図３５を用いて説明する。図３５は、赤道儀として用いられる本部品（本赤道儀）の一部を示す部分概略斜視図である。
長時間の露光による天体写真を撮影する場合や、同一の天体を長時間観察する場合に用いられる部品が赤道儀である。赤道儀は、望遠鏡を天体の動きに合わせて回転させる架台として用いられ、特定の天体が常に一定の位置に見えるようにするものである。
【００７７】
図３５に示すように、本赤道儀８４には、部品の名称と、取り付け方と、取り付け方等が印刷された赤道儀シール８５が貼付されている。赤道儀シール８５は、極軸望遠鏡が設けられた本体に、三脚に取り付けた状態で見やすい向きに貼付されている。
【００７８】
［赤道儀シール：図３６］
赤道儀シールについて図３６を用いて説明する。図３６は、赤道儀シールの概略図である。
図３６に示すように、赤道儀シール８５は、部品の名称の記述８５１として「赤道儀」が記載され、取り付け方の説明８５２として、赤道儀８４を三脚の上に搭載して、下側からネジで固定することが簡単なイラストで示されている。
【００７９】
更に、組み立て方の詳細な説明が必要なユーザのために、シールの右半分に、具体的な組み立て方法が掲載されているウェブサイトにアクセスする２次元バーコード（図では一部加工）８５３が印刷されている。
ユーザは、携帯端末等で当該２次元バーコードを読み込んでアクセスすることにより、本赤道儀の組み立て方をその場で知ることができるものである。
【００８０】
［本赤道儀の効果］
赤道儀８４によれば、部品の名称と、取り付け方と、詳細な組み立て方の説明が掲載されているウェブサイトにアクセスする２次元バーコードとが記載された赤道儀シール８５が貼付されているので、ユーザは、取扱説明書で調べなくても、取り付け方や組み立て方を知ることができ、利便性を向上させることができる効果がある。
【００８１】
［実施の形態の効果］
本実施の形態に係る天体望遠鏡用部品によれば、部品の名称、当該部品を用いた場合の像の見え方、調整方法、倍率、取り付け方、本体の仕様、警告、使用方法といった部品に関する各種の情報の中から、当該部品を使用する際に重要となる情報を複数組み合わせて記載したシールが貼付された天体望遠鏡用部品としているので、ユーザは、部品に関する十分な知識がなくても、シールに記載された情報を参照して、組み立てや取り付けを容易に行うことができ、利便性を向上させることができる効果がある。
【産業上の利用可能性】
【００８２】
本考案は、天体望遠鏡の組み立てや部品の取り付けを容易に行うことができ、利便性を向上させることができる天体望遠鏡用部品に適している。
【符号の説明】
【００８３】
１０…ファインダー、  １１…ファインダーシール、  ２０，２２，２４，２６，２８，３０…アイピース、  ２１，２３，２５，２７，２９，３１…アイピースシール、  ４０，４３…２倍バローレンズ、  ４１，４４…２倍バローレンズシール、  ４２，４５，５２…固定ネジ、  ５０…地上観測用１．５倍レンズ、  ５１…地上観測用１．５倍レンズシール、  ６０…天頂ミラー、  ６１…天頂ミラーシール、  ６２…４５度正立プリズム、  ６３…４５度正立プリズムシール、  ７０，７２，７４，７６…ドローチューブ、  ７１，７３，７５，７７…ドローチューブシール、  ８０…ムーンフィルター、  ８１…ムーンフィルターシール、  ８４…赤道儀、  ８５…赤道儀シール、  １１１，５１３，６１３，６３３…見え方の説明、  １１２…調整方法の説明、  １１３，８５３…２次元バーコード、  ２１１，２３１，２５１，２７１，２９１，３１１…接眼レンズの種類の記述、  ２１２，２３２，２５２，２７２，２９２，３１２…焦点距離の記述、  ２１３，２３３，２５３，２７３，２９３，３１３…本体の焦点距離から倍率を求める計算式の記述、  ４１１，４４１，５１１，６１１，６３１，８１１，８５１…部品の名称の記述、  ４１２，４４２，５１２，６１２，６３２，８１３，８５２…取り付け方の説明、  ４１３，４４３，５１４…倍率の記述、  ５１３，６１３，６３３…見え方の説明、  ７１１，７３１，７５１，７７１…仕様の記述、  ７１２，７３２，７５２，７７２…警告の記述、  ８１２…使用方法の説明
【図１】
0003216079.tif 000003
【図２】
0003216079.tif 000004
【図３】
0003216079.tif 000005
【図４】
0003216079.tif 000006
【図５】
0003216079.tif 000007
【図６】
0003216079.tif 000008
【図７】
0003216079.tif 000009
【図８】
0003216079.tif 000010
【図９】
0003216079.tif 000011
【図１０】
0003216079.tif 000012
【図１１】
0003216079.tif 000013
【図１２】
0003216079.tif 000014
【図１３】
0003216079.tif 000015
【図１４】
0003216079.tif 000016
【図１５】
0003216079.tif 000017
【図１６】
0003216079.tif 000018
【図１７】
0003216079.tif 000019
【図１８】
0003216079.tif 000020
【図１９】
0003216079.tif 000021
【図２０】
0003216079.tif 000022
【図２１】
0003216079.tif 000023
【図２２】
0003216079.tif 000024
【図２３】
0003216079.tif 000025
【図２４】
0003216079.tif 000026
【図２５】
0003216079.tif 000027
【図２６】
0003216079.tif 000028
【図２７】
0003216079.tif 000029
【図２８】
0003216079.tif 000030
【図２９】
0003216079.tif 000031
【図３０】
0003216079.tif 000032
【図３１】
0003216079.tif 000033
【図３２】
0003216079.tif 000034
【図３３】
0003216079.tif 000035
【図３４】
0003216079.tif 000036
【図３５】
0003216079.tif 000037
【図３６】
0003216079.tif 000038